(57)【要約】【課題】遊技機枠に設けられた電気部品と遊技盤に設けられた電気部品との接続の容易化を図る。【解決手段】遊技盤７が遊技機枠１に取り付けられ、枠演出コネクタ３および盤演出コネクタ９が互いに嵌め合わされ、枠主制御コネクタ４および盤主制御コネクタ１０が互いに嵌め合わされることによって、枠電気部品２および盤電気部品８が枠演出コネクタ３と枠主制御コネクタ４と盤演出コネクタ９および盤主制御コネクタ１０を介して相互に電気的に動作可能に接続される。【選択図】図１
2006346073.tif 000002
【特許請求の範囲】
【請求項１】
遊技機枠には枠電気部品と枠演出コネクタおよび枠主制御コネクタが設けられ、枠電気部品および枠演出コネクタが互いに配線で接続され、枠電気部品および枠主制御コネクタが互いに配線で接続され、遊技盤には盤電気部品と盤演出コネクタおよび盤主制御コネクタが設けられ、盤電気部品および盤演出コネクタが互いに配線で接続され、盤電気部品および盤主制御コネクタが互いに配線で接続されており、遊技盤が遊技機枠に取り付けられた場合、枠演出コネクタおよび盤演出コネクタが互いに嵌め合わされ、枠主制御コネクタおよび盤主制御コネクタが互いに嵌め合わされることによって、枠電気部品および盤電気部品が枠演出コネクタと枠主制御コネクタと盤演出コネクタおよび盤主制御コネクタを介して相互に電気的に動作可能に接続されることを特徴とするパチンコ遊技機の電気接続装置。
【請求項２】
互いに機械的に嵌め込まれて電気的に接続されるための、枠演出コネクタ、枠主制御コネクタ、盤演出コネクタおよび盤主制御コネクタが、１個ずつ設けられたことを特徴とする請求項１記載のパチンコ遊技機の電気接続装置。
【発明の詳細な説明】
【技術分野】
【０００１】
本発明は、遊技機枠に設けられた電気部品と遊技盤に設けられた電気部品との接続が容易なパチンコ遊技機の電気接続装置に関する。
【背景技術】
【０００２】
パチンコ遊技機は、電気部品の設けられた遊技機枠に電気部品の設けられた遊技盤を装着した後、遊技機枠における複数の電気部品と遊技盤における複数の電気部品とを複数の配線で個別に接続しているため、配線作業が面倒であるうえ、配線が複雑に入り乱れ、遊技機枠のどの電気部品と遊技盤のどの電気部品とがどの配線で接続されているかという、電気部品どうしの接続を容易に把握することができないという欠点があった。
【特許文献１】特開平７−１６３３９号公報
【発明の開示】
【発明が解決しようとする課題】
【０００３】
発明が解決しようとする問題点は、遊技機枠の電気部品と遊技盤の電気部品との接続が複雑であるという点である。
【課題を解決するための手段】
【０００４】
本発明に係るパチンコ遊技機の電気接続装置は、遊技機枠には枠電気部品と枠演出コネクタおよび枠主制御コネクタが設けられ、枠電気部品および枠演出コネクタが互いに配線で接続され、枠電気部品および枠主制御コネクタが互いに配線で接続され、遊技盤には盤電気部品と盤演出コネクタおよび盤主制御コネクタが設けられ、盤電気部品および盤演出コネクタが互いに配線で接続され、盤電気部品および盤主制御コネクタが互いに配線で接続されており、遊技盤が遊技機枠に取り付けられた場合、枠演出コネクタおよび盤演出コネクタが互いに嵌め合わされ、枠主制御コネクタおよび盤主制御コネクタが互いに嵌め合わされることによって、枠電気部品および盤電気部品が枠演出コネクタと枠主制御コネクタと盤演出コネクタおよび盤主制御コネクタを介して相互に電気的に動作可能に接続されることを最も主要な特徴とする。互いに機械的に嵌め込まれて電気的に接続されるための、枠演出コネクタ、枠主制御コネクタ、盤演出コネクタおよび盤主制御コネクタが１個ずつ設けられてもよい。
【発明の効果】
【０００５】
本発明に係るパチンコ遊技機の電気接続装置は、遊技盤が遊技機枠に取り付けられ、枠演出コネクタおよび盤演出コネクタが互いに嵌め合わされ、枠主制御コネクタおよび盤主制御コネクタが互いに嵌め合わされることによって、枠電気部品および盤電気部品が枠演出コネクタと枠主制御コネクタと盤演出コネクタおよび盤主制御コネクタを介して相互に電気的に動作可能に接続されるため、配線作業が簡単であるうえ、配線が簡素に整理され、どの枠電気部品とどの盤電気部品とがどの配線で接続されているかという、枠電気部品や盤電気部品からなる電気部品どうしの接続を容易に把握することができるという利点がある。互いに機械的に嵌め込まれて電気的に接続されるための、枠演出コネクタ、枠主制御コネクタ、盤演出コネクタおよび盤主制御コネクタが１個ずつ設けられれば、接続構造が最も簡単であるという利点がある。
【発明を実施するための最良の形態】
【０００６】
図１乃至図８は、発明を実施するための最良の形態である。図１は、パチンコ遊技機の電気接続装置の電気的な構成を示す。図２は、枠電気部品２、枠演出コネクタ３、枠主制御コネクタ４の電気的な構成を示す。図３は、盤電気部品８、盤演出コネクタ９、盤主制御コネクタ１０の電気的な構成を示す。図４は、遊技機枠１における電気接続装置の機械的な構成を示す。図５は、可動枠１０２の裏側における電気接続装置の機械的な構成を示す。図６は、可動枠１０２の裏側における下部の機械的な構成を示す。図７および図８は、遊技盤７における電気接続装置の機械的な構成を示す。この明細書において、「前」、「後」、「裏」、「左」、「右」、「上」、「下」の方向は、図４の状態に遊技機枠１および遊技盤７を置いて矢印Ｓで示す前側から見た場合に特定される方向である。「後」と「裏」とは同じ方向である。
【０００７】
図１を参照し、パチンコ遊技機の電気接続装置の電気的な構成について説明する。パチンコ遊技機の遊技機枠１には、枠電気部品２、枠演出コネクタ３、枠主制御コネクタ４が設けられる。枠電気部品２および枠演出コネクタ３は、互いに配線５で接続される。枠電気部品２および枠主制御コネクタ４は、互いに配線６で接続される。枠電気部品２、枠演出コネクタ３、枠主制御コネクタ４、配線５；６が、遊技機枠１に設けられる電気部品を構成する。パチンコ遊技機の遊技盤７には、盤電気部品８、盤演出コネクタ９、盤主制御コネクタ１０が設けられる。盤電気部品８および盤演出コネクタ９は、互いに配線１１で接続される。盤電気部品８および盤主制御コネクタ１０は、互いに配線１２で接続される。盤電気部品８、盤演出コネクタ９、盤主制御コネクタ１０、配線１１；１２が、遊技盤７に設けられる電気部品を構成する。そして、遊技盤７が遊技機枠１に取り付けられた場合、枠演出コネクタ３および盤演出コネクタ９が互いに嵌め合わされ、枠主制御コネクタ４および盤主制御コネクタ１０が互いに嵌め合わされることによって、枠電気部品２および盤電気部品８が枠演出コネクタ３と枠主制御コネクタ４と盤演出コネクタ９および盤主制御コネクタ１０を介して相互に電気的に動作可能に接続される。
【０００８】
図２を参照し、枠電気部品２、枠演出コネクタ３、枠主制御コネクタ４の電気的な構成について説明する。枠電気部品２は、枠演出中継基板１５、枠主制御中継基板１６、電源装置１７、発射払出制御装置１８、発射電気部品１９、払出電気部品２１、貸出電気部品２２、電源中継基板２３、皿中継基板２４、球貸機接続基板２５、発射払出中継基板２６、払出中継基板２７、枠外部基板２８、前扉中継基板２９、前扉表示灯中継基板３０、前扉表示灯基板３１、表示灯３２、スピーカ３３などである。枠演出コネクタ３は、２つの枠演出内部コネクタ３４；３５および１つの枠演出外部コネクタ３６から構成される。枠演出内部コネクタ３４；３５および枠演出外部コネクタ３６は、枠演出中継基板１５に設けられる。枠主制御コネクタ４は、１つの枠主制御内部コネクタ３７および１つの枠主制御外部コネクタ３８から構成される。枠主制御内部コネクタ３７および枠主制御外部コネクタ３８は、枠主制御中継基板１６に設けられる。
【０００９】
枠演出内部コネクタ３４には、電源中継基板２３が配線３９で接続される。電源中継基板２３には、電源装置１７および発射払出中継基板２６が別々の配線４０；４１で個別に接続される。枠演出内部コネクタ３５には、前扉中継基板２９が配線４２で接続される。前扉中継基板２９には、前扉表示灯中継基板３０およびスピーカ３３が別々の配線４３；４４で個別に接続される。前扉表示灯中継基板３０には、前扉表示灯基板３１が配線４５で接続される。前扉表示灯基板３１には、ＬＥＤのような表示灯３２が電気回路を構成するように実装される。枠主制御内部コネクタ３７には、発射払出中継基板２６が配線４６で接続される。発射払出中継基板２６には、発射払出制御装置１８と皿中継基板２４と球貸機接続基板２５と払出中継基板２７および枠外部基板２８が別々の配線４７；４８；４９；５０；５１で個別に接続される。皿中継基板２４には、発射電気部品１９および貸出電気部品２２が別々の配線５３；５４で個別に接続される。払出中継基板２７には、払出電気部品２１が配線５５で接続される。
【００１０】
発射電気部品１９は、発射可変抵抗器、発射タッチセンサ、発射停止スイッチ、送出駆動源、発射駆動源などである。発射可変抵抗器と発射タッチセンサおよび発射停止スイッチは、発射操作機構１２６に設けられる。送出駆動源は、皿構造体１０５に設けられる。主制御装置６３のコンピュータおよび発射払出制御装置１８のコンピュータが電源装置１７から直流電源の供給を受けて起動した状態において、人が発射操作機構１２６に触れた場合、その発射操作機構１２６に触れたことを示すタッチ信号を、発射タッチセンサが発射払出制御装置１８に出力し、人が発射操作機構１２６を操作した場合、その発射操作機構１２６の操作量に相当する電圧を、発射可変抵抗器が発射払出制御装置１８に出力し、人が発射停止スイッチを操作した場合、発射停止信号を発射停止スイッチが発射払出制御装置１８に出力する。発射払出制御装置１８および主制御装置６３については、図２、図３を参照。皿構造体１０５および発射操作機構１２６については、図４を参照。
【００１１】
発射払出制御装置１８は、主制御装置６３から発射許可信号が入力され、発射タッチセンサからタッチ信号が入力され、発射可変抵抗器から電圧が入力され、発射停止スイッチから発射停止信号が入力されていない場合、送出駆動源および発射駆動源を制御する。この制御によって、送出駆動源が皿構造体１０５の送出機構１２８を駆動し、送出機構１２８が球受皿部からパチンコ球と呼ばれる球を発射機構１１８の駆動に同期して１個ずつ発射レール１１９に供給し、発射駆動源が発射機構１１８を発射操作機構１２６の操作量に相当する電圧に対応した発射力で例えば１分間に１乃至１００発未満までの所定数の間隔で駆動し、発射機構１１８が球受部から発射レール１１９に供給された球を遊技盤７の遊技領域に向けて１個ずつ発射する。発射払出制御装置１８および主制御装置６３については、図２、図３を参照。遊技盤７、皿構造体１０５、発射機構１１８、発射レール１１９、発射操作機構１２６、送出機構１２８については、図４を参照。
【００１２】
払出電気部品２１は、払出駆動源、払出球検出器、満タン検出器１３８、補給スイッチ１３９などである。払出駆動源と払出球検出器と満タン検出器１３８および補給スイッチ１３９は、払出装置１３５に設けられる。主制御装置６３のコンピュータおよび発射払出制御装置１８のコンピュータが電源装置１７から直流電源の供給を受けて起動した状態において、主制御装置６３が賞球払出数および賞球開始信号を発射払出制御装置１８に出力すると、発射払出制御装置１８が払出駆動源を制御する。この制御によって、払出駆動源が払出装置１３５の払出機構１３７を駆動し、払出機構１３７が払出装置１３５のタンク１３６からパチンコ球と呼ばれる球を１個ずつ分離しつつ払い出す。この払い出される球を払出球検出器が検出するごとに払出信号を主制御装置６３および発射払出制御装置１８に出力する。主制御装置６３および発射払出制御装置１８は、払出信号が入力されるごとに、カウントアップ方式またはカウントダウン方式のいずれかによって払出数を計数する。発射払出制御装置１８および主制御装置６３については、図２、図３を参照。払出装置１３５、払出機構１３７、満タン検出器１３８、補給スイッチ１３９については、図５を参照。
【００１３】
計数値が賞球払出数に到達するかまたはゼロに到達すると、発射払出制御装置１８は、払出駆動源を停止させる。主制御装置６３は、計数値が賞球払出数に到達するかまたはゼロに到達してから一定時間経過するまでの間に、払出球検出器から払出信号の入力が有るか無いかを監視し、払出信号の入力が無ければ正常と判断して異常処理を行わず、払出信号の入力が有れば異常と判断して異常処理を行い、発射禁止信号および払出禁止信号を発射払出制御装置１８に出力する。これによって、発射払出制御装置１８が発射駆動源や払出駆動源の制御を停止し、送出機構１２８による球を送り出す動作と発射機構１１８による球を発射する動作および払出機構１３７による球を払い出す動作が停止する。発射払出制御装置１８および主制御装置６３については、図２、図３を参照。発射機構１１８および送出機構１２８については、図４を参照。電源装置１７には、遊技店の遊技機設置構造体に設けられた交流２４ボルトを出力する島電源装置５６が配線５７で接続される。つまり、電源装置１７は、島電源装置５６から配線５７を経由して入力された交流電源をパチンコ遊技機に使用する直流電源に変換し、変換された直流電源および変換していない交流電源を出力する。球貸機接続基板２５には、図１の遊技機枠１と併設するように遊技店の遊技機設置構造体に設けられる台間球貸機５８が配線５９で接続される。
【００１４】
図３を参照し、盤電気部品８、盤演出コネクタ９、盤主制御コネクタ１０の電気的な構成について説明する。盤電気部品８は、盤演出中継基板６１、盤主制御中継基板６２、主制御装置６３、演出制御装置６４、演出表示器６５、左一般入賞電気部品６６、右一般入賞電気部品６７、始動入賞電気部品６８、可変入賞電気部品６９、図柄表示器７０、主制御中継基板７１、演出集合中継基板７２、表示灯７３、可変入賞中継基板７４、左中継基板７５、右中継基板７６、図柄表示基板７７、盤外部基板７８などである。盤演出コネクタ９は、１つの盤演出内部コネクタ７９および１つの盤演出外部コネクタ８０から構成される。盤演出内部コネクタ７９および盤演出外部コネクタ８０は、盤演出中継基板６１に設けられる。盤主制御コネクタ１０は、１つの盤主制御内部コネクタ８１および１つの盤主制御外部コネクタ８２から構成される。盤主制御内部コネクタ８１および盤主制御外部コネクタ８２は、盤主制御中継基板６２に設けられる。
【００１５】
盤演出内部コネクタ７９には、演出集合中継基板７２が配線８３で接続される。演出集合中継基板７２には、表示灯７３および演出制御装置６４が別々の配線８４；８５で個別に接続される。演出制御装置６４には、演出表示器６５が配線８６で接続される。盤主制御内部コネクタ８１には、主制御中継基板７１が配線８７で接続される。主制御中継基板７１には、主制御装置６３と可変入賞中継基板７４と左中継基板７５および右中継基板７６が別々の配線８８；８９；９０；９１で個別に接続される。可変入賞中継基板７４には、可変入賞電気部品６９が配線８８で接続される。左中継基板７５には、左一般入賞電気部品６６と始動入賞電気部品６８および盤外部基板７８が別々の配線９２；９３：９４で個別に接続される。右中継基板７６には、右一般入賞電気部品６７と図柄表示基板７７が別々の配線９５；９６で個別に接続される。主制御装置６３の出力部および演出制御装置６４の入力部は、配線９７で互いに接続される。図柄表示基板７７には、図柄表示器７０が電気回路を構成するように実装される。
【００１６】
左一般入賞電気部品６６は、左一般入賞球検出器であって、遊技盤７の遊技領域に設けられた左一般入賞部品に入賞した球を検出して一般入賞信号を主制御装置６３に出力する。右一般入賞電気部品６７は、右一般入賞球検出器であって、遊技盤７の遊技領域に設けられた右一般入賞部品に入賞した球を検出して入賞信号を主制御装置６３に出力する。始動入賞電気部品６８は、始動入賞球検出器および始動入賞駆動源などである。始動入賞球検出器は、遊技盤７の遊技領域に設けられた始動入賞部品に入賞した球を検出して始動入賞信号を主制御装置６３に出力する。始動入賞駆動源は、主制御装置６３によって制御され、始動入賞部品の一対の羽根を開閉する。羽根が開くと、始動入賞部品が遊技領域から球を取り込みやすい（入賞しやすい）態様となる。羽根が閉じると、始動入賞部品が遊技領域から球を取り込みにくい（入賞しにくい）態様となるかまたは取り込めない（入賞しない）態様となる。
【００１７】
可変入賞電気部品６９は、可変入賞球検出器、可変入賞駆動源などである。可変入賞球検出器は、遊技盤７の遊技領域に設けられた可変入賞部品に入賞した球を検出して可変入賞信号を主制御装置６３に出力する。可変入賞駆動源は、主制御装置６３で制御されることによって、可変入賞部品の開閉体を開閉する。開閉体が開くと、可変入賞部品が遊技領域から球を取り込み得る（入賞し得る）態様となる。開閉体が閉じると、可変入賞部品が遊技領域から球を取り込めない（入賞しない）態様となる。演出表示器６５は、演出制御装置６４によって制御され、画像の表示によって遊技を演出する。主制御装置６３は、リーチ、当たり、大当たりなどの遊技を演出するための演出信号を、演出制御装置６４に、配線９７を経由して出力する。演出制御装置６４は、主制御装置６３からの演出信号で、演出表示器６５と表示灯７３と図２の表示灯３２および図２のスピーカ３３を制御する。この制御によって、演出表示器６５が遊技者の視覚に訴える画像を表示し、表示灯３２および表示灯７３が遊技者の視覚に訴える照明を表示し、スピーカ３３が遊技者の聴覚に訴える音を放出する。
【００１８】
図４を参照し、遊技機枠１における電気接続装置の機械的な構成について説明する。遊技盤７における電気接続装置の機械的な構成については、図７および図８を用いて後述する。遊技機枠１は、固定枠１０１の前側に可動枠１０２を、左側に位置するヒンジ１０３を中心として固定枠１０１の前側で前側に開かれかつ後側に閉じられるように、片開き可能に備え、可動枠１０２の前側に前扉１０４および皿構造体１０５を、左側に位置するヒンジ１０６を中心として可動枠１０２の前側で前側に開かれかつ後側に閉じられるように、個別に片開き可能に備える。固定枠１０１は、パチンコ店の図外の遊技機設置構造体に取り付けるための外枠とも呼ばれる。可動枠１０２は、遊技盤７を取り付ける前枠とも呼ばれ、盤収容室１０７を内部に備える。盤収容室１０７の左側部には、枠側取付構造体１０８が前側に開かれかつ後側に閉じられるように回転可能に設けられる。可動枠１０２の右縦片部には、施錠装置１０９と複数のロック機構１１０；１１１；１１２およびロック解除操作体１１３が設けられる。可動枠１０２は、遊技盤７を装着する前側に開口した盤収容室１０７の背壁に前後方向に貫通する中央開口部１１５を備える。盤収容室１０７の背壁の右側部には、横長なロック操作部１１６を回転可能に備える。
【００１９】
盤収容室１０７の下縁部は、遊技盤７を搭載する左右方向に平坦な面としての盤棚１１７を形成する。盤棚１１７から下方に延設された前壁の前面には、発射機構１１８、発射レール１１９、戻り球取入口１２０、払出球中継樋１２１が設けられる。盤棚１１７から下方に延設された前壁の裏面には、機外排出樋１２２が設けられる。発射レール１１９は、発射機構１１８から発射された球を、遊技盤７の方向である上方に誘導する。払出球中継樋１２１は、可動枠１０２の裏側に設けられた払出装置１３５から払い出された球を皿構造体１０５の球取入口１２７に排出する。機外排出樋１２２は、遊技盤７の裏側から排出された球を受け取って遊技機設置構造体における捕球機構に排出する。前扉１０４は、パネル枠とも呼ばれ、前後方向に貫通する窓１２３を囲む額縁形状である。前扉１０４には、光を透過する性質の有る前面パネル１２４が、窓１２３を裏側から覆うように取り付けられる。皿構造体１０５の前面には、受皿部１２５および発射操作機構１２６が設けられる。受皿部１２５は、遊技に使用する球を受ける上方に開口した上方から下方に窪む容器である。発射操作機構１２６は、遊技者が球を発射するために操作するものである。皿構造体１０５の裏面には、球取入口１２７および送出機構１２８が設けられる。可動枠１０２には、配線孔１２９；１３０が設けられる。配線孔１２９は、配線４２を可動枠１０２の前側と裏側とに貫通させる孔である。配線孔１３０は、配線４８を可動枠１０２の前側と裏側とに貫通させる孔である。皿構造体１０５には、配線孔１３１；１３２が設けられる。配線孔１３１；１３２は、配線５３の一部の本数および配線５４を皿構造体１０５の裏側と内部と貫通させる孔である。
【００２０】
遊技機枠１では、可動枠１０２や前扉１０４および皿構造体１０５が閉じられてロック機構１１０乃至１１２で固定枠１０１に開閉不能に支持された状態において、遊技店の店員が図外のキープレート（鍵）を遊技機枠１の前側から施錠装置１０９の鍵穴に挿入し、当該キープレートを例えば右側に９０度回転操作すると、固定枠１０１と可動枠１０２とのロック機構１１０による支持形態が解除される。この支持形態の解除後に、店員が可動枠１０２を前側に引くことによって、可動枠１０２はヒンジ１０３を中心として固定枠１０１の前側に片開きされる。また、上記施錠装置１０９の鍵穴に挿入されたキープレートが例えば左側に９０度回転操作されると、可動枠１０２と前扉１０４とのロック機構１１１による支持形態が解除される。この支持形態の解除後に、店員が前扉１０４を前側に引くことによって、前扉１０４はヒンジ１０６を中心として可動枠１０２の前側に片開きされる。このように、前扉１０４が前側に開かれた状態において、店員が可動枠１０２の前面に設けられたロック解除操作体１１３を操作すると、可動枠１０２と皿構造体１０５とのロック機構１１２による支持形態が解除される。この支持形態の解除後に、店員が皿構造体１０５を前側に引くことによって、皿構造体１０５はヒンジ１０６を中心として可動枠１０２の前側に片開きされる。
【００２１】
前扉１０４の裏面には、前扉中継基板２９、前扉表示灯中継基板３０、電気回路を構成するように表示灯３２の実装された前扉表示灯基板３１、スピーカ３３が設けられる。受皿部１２５の上面には、貸出電気部品２２が設けられる。貸出電気部品２２は、貸出表示器や貸出スイッチおよび解除スイッチなどである。遊技者が貸出スイッチまたは解除スイッチを操作すると、貸出スイッチが貸出信号を、または、解除スイッチが解除信号を、配線５４から皿中継基板２４、配線４８、発射払出中継基板２６、配線４７を順に経由して発射払出制御装置１８に出力し、発射払出制御装置１８が貸出信号または解除信号に基づき図５の払出装置１３５を制御する。皿構造体１０５の裏面には、皿中継基板２４が設けられる。枠側取付構造体１０８には、電気回路を構成するように枠演出内部コネクタ３４；３５および枠演出外部コネクタ３６の実装された枠演出中継基板１５、電気回路を構成するように枠主制御内部コネクタ３７および枠主制御外部コネクタ３８の実装された枠主制御中継基板１６が設けられる。皿中継基板２４の中、前扉中継基板２９の中、前扉表示灯中継基板３０の中、前扉表示灯基板３１の中、配線４２；４４の端部などに方形に表示された符号の付されていない部材は、電気接続器としてのコネクタである。
【００２２】
図５を参照し、可動枠１０２の裏側における電気接続装置の機械的な構成について説明する。可動枠１０２の裏面には、電源装置１７、発射払出制御装置１８、払出中継基板２７、枠外部基板２８、払出装置１３５が設けられる。払出装置１３５は、遊技店の遊技機設置設備に設けられた補給機構から供給される球を貯蔵するタンク１３６、タンク１３６に貯蔵された球を払い出す払出機構１３７、図４の受皿部１２５に球が満杯になったことを検出して球の発射停止を促すための満タン検出器１３８、タンク１３６に貯蔵された球の量が減少したことを検出して補給機構からの球の補給を促すための補給スイッチ１３９を備える。払出機構１３７は、払出駆動源および払出球検出器を備える。前扉中継基板２９の中、払出中継基板２７の中、配線３９；４２；４６；５０；５１；５５の端部などに方形に表示された符号の付されていない部材は、電気接続器としてのコネクタである。
【００２３】
図６を参照し、可動枠１０２の裏側における下部の機械的な構成について説明する。電源中継基板２３が、機外排出樋１２２における排出口部１４１と対応する位置で、可動枠１０２の裏面に取り付けられる。発射払出中継基板２６は、排出口部１４１よりも左側に位置しかつ可動枠１０２の裏面よりも裏側に突出した機外排出樋１２２の下面に取り付けられる。球貸機接続基板２５は、発射払出中継基板２６にコネクタで接続される。よって、図２の配線４９は、発射払出中継基板２６に電気回路を構成するように実装されたコネクタと、球貸機接続基板２５に電気回路を構成するように実装されたコネクタとから構成される。電源装置１７は、電源中継基板２３にコネクタで接続される。よって、図２の配線４０は、電源装置１７に電気回路を構成するように実装されたコネクタと、電源中継基板２３に電気回路を構成するように実装されたコネクタとから構成される。発射払出制御装置１８は、発射払出中継基板２６にコネクタで接続される。よって、図２の配線４７は、発射払出制御装置１８に電気回路を構成するように実装されたコネクタと、発射払出中継基板２６に電気回路を構成するように実装されたコネクタとから構成される。電源中継基板２３の中、発射払出中継基板２６の中、配線３９；４１；４２；４６；４８；５０；５１；５７の端部などに方形に表示された符号の付されていない部材は、電気接続器としてのコネクタである。配線５７の端部には、図２の島電源装置５６の出力端に接続するためのプラグ１４２を備える。
【００２４】
図７および図８を参照し、遊技盤７における電気接続装置の機械的な構成について説明する。図７において、遊技盤７の裏面には、盤側取付構造体１４５、球案内構造体１４６、回路取付構造体１４７が設けられる。遊技盤７の前面における内ガイドレールおよび外ガイドレールで囲まれた内側の遊技領域には、飾り部品１４８、左一般入賞部品、右一般入賞部品、始動入賞部品、可変入賞部品が固定される。飾り部品１４８は、保護パネル１４９を備える。保護パネル１４９は、演出表示器６５の表示画面に電気的に表示形態を変えられるように表示された画像を、遊技盤７の前側から遊技者に見せるための光の透過する性質の有る材料から構成され、遊技盤７に前後方向への貫通孔として形成された逃孔１５０に挿入される。飾り部品１４８の保護パネル１４９よりも上部の裏面には、図柄表示基板７７が設けられる。左一般入賞部品の左一般入賞電気部品６６、右一般入賞部品の右一般入賞電気部品６７、始動入賞部品の始動入賞電気部品６８、可変入賞部品の可変入賞電気部品６９および可変入賞中継基板７４は、遊技盤７の前側から遊技盤７に前後方向への貫通孔として形成された複数の逃孔を経由して遊技盤７の裏側に突出する。
【００２５】
盤側取付構造体１４５は、遊技盤７の左側部に固定される。盤側取付構造体１４５には、電気回路を構成するように盤演出内部コネクタ７９および盤演出外部コネクタ８０の実装された盤演出中継基板６１、電気回路を構成するように盤主制御内部コネクタ８１および盤主制御外部コネクタ８２の実装された盤主制御中継基板６２が設けられる。球案内構造体１４６は、セット板とも呼ばれ、遊技盤７の遊技領域から左一般入賞部品、右一般入賞部品、始動入賞部品、可変入賞部品、アウト口などに取り込まれて遊技盤７の裏側に排出されたパチンコ球と呼ばれる球を、下方に誘導して排出する。球案内構造体１４６には、演出表示窓１５１、配線孔１５２；１５３；１５４；１５５；１５６、逃孔１５７；１５８が設けられる。球案内構造体１４６が遊技盤７の裏面に固定されることによって、演出表示窓１５１が保護パネル１４９と対向し、配線孔１５２が左一般入賞電気部品６６と対向し、配線孔１５３が右一般入賞電気部品６７と対向し、配線孔１５４が図柄表示基板７７と対向し、配線孔１５５が始動入賞電気部品６８と対向し、配線孔１５６が可変入賞中継基板７４と対向する。逃孔１５７；１５８は、球案内構造体１４６の前面に取り付けられた演出集合中継基板７２のコネクタを球案内構造体１４６の裏側に突出するための貫通孔である。
【００２６】
演出表示器６５が前側に位置し、演出制御装置６４が後側に位置するように、演出表示器６５および演出制御装置６４は、同じ筐体の中に収納される。そして、演出表示器６５および演出制御装置６４を内蔵した筐体が、演出表示窓１５１と対向するように、球案内構造体１４６の裏側から球案内構造体１４６の裏面に取り付けられることによって、演出表示器６５の表示画面が演出表示窓１５１を介して保護パネル１４９の裏面と対向する。回路取付構造体１４７は、盤側取付構造体１４５を逃げて、遊技盤７の下部に固定される。回路取付構造体１４７には、主制御中継基板７１、配線孔１５９が設けられる。配線孔１５９は、配線８７を回路取付構造体１４７の外側と内側とに貫通させるための貫通孔である。丸印の中に表現した結合子ａ；ｂ；ｃ；ｄ；ｅ；ｆ；ｇ；ｈ；ｉは、同じ記号どうしが互いに接続される。主制御装置６３は、主制御中継基板７１にコネクタで接続される。よって、図２の配線８８は、主制御装置６３に電気回路を構成するように実装されたコネクタと、主制御中継基板７１に電気回路を構成するように実装されたコネクタとから構成される。演出制御装置６４は、演出集合中継基板７２にコネクタで接続される。よって、図２の配線８５は、演出制御装置６４に電気回路を構成するように実装されたコネクタと、演出集合中継基板７２に電気回路を構成するように実装されたコネクタとから構成される。左一般入賞電気部品６６の中、右一般入賞電気部品６７の中、主制御中継基板７１の中、演出集合中継基板７２の中、可変入賞中継基板７４の中、左中継基板７５の中、右中継基板７６の中、図柄表示基板７７の中、配線８３；８７；８９乃至９７の端部などに方形に表示された符号の付されていない部材は、電気接続器としてのコネクタである。
【００２７】
左一般入賞電気部品６６が左一般入賞部品に取り付けられ、右一般入賞電気部品６７が左一般入賞部品に取り付けられ、可変入賞電気部品６９および可変入賞中継基板７４が可変入賞部品に取り付けられ、始動入賞電気部品６８が始動入賞部品に取り付けられ、図柄表示基板７７が飾り部品１４８に取り付けられ、飾り部品１４８と左一般入賞部品と右一般入賞部品と始動入賞部品および可変入賞部品が遊技盤７の遊技領域に取り付けられ、演出集合中継基板７２と左中継基板７５および右中継基板７６が球案内構造体１４６に取り付けられ、球案内構造体１４６が遊技盤７の裏面に取り付けられ、主制御中継基板７１が回路取付構造体１４７に取り付けられ、回路取付構造体１４７が遊技盤７の裏面に取り付けられ、主制御装置６３が回路取付構造体１４７に取り付けられるとともに主制御中継基板７１にコネクタで接続され、演出制御装置６４が球案内構造体１４６に取り付けられるとともに演出集合中継基板７２にコネクタで接続され、配線８３；８７；９０；９２；９４；９５；９７が結合子ａ乃至ｉで接続され、配線８９が主制御中継基板７１および可変入賞中継基板７４に配線孔１５６を経由して接続され、配線９１が主制御中継基板７１および右中継基板７６に接続され、配線９４が左中継基板７５および盤外部基板７８に接続され、配線９６が右中継基板７６および図柄表示基板７７に配線孔１５４を経由して接続されることによって、図３に示した電気部品が、図８に示すように、遊技盤７の裏面に設けられる。図８において、配線８７は、配線孔１５９を経由して主制御中継基板７１および盤主制御内部コネクタ８１に接続される。
【００２８】
最良の形態は、図４において、遊技機枠１の前扉１０４が前側に開けられ、枠側取付構造体１０８が人によって引き出されるのに伴い可動枠１０２の前側に回転され、枠演出中継基板１５および枠主制御中継基板１６の板面が可動枠１０２の前面に対し斜め前側に向けられ、枠演出外部コネクタ３６および枠主制御外部コネクタ３８の嵌め込み面が可動枠１０２の前面に対し斜め前側に向けられた状態において、人が遊技盤７を手で持ち、遊技盤７の前面が前側に向けられ、遊技盤７の裏面が可動枠１０２の前面に対し斜めに向けられ、遊技盤７の左側部が可動枠１０２に前側から近づけられ、盤側取付構造体１４５が枠側取付構造体１０８に前側から嵌め込まれた後、遊技盤７の左側部が枠演出外部コネクタ３６および枠主制御外部コネクタ３８の方向に近くなるように、遊技盤７が人によって押し動かされると、盤演出外部コネクタ８０が枠演出外部コネクタ３６に機械的に嵌め込まれて電気的に接続され、盤主制御外部コネクタ８２が枠主制御外部コネクタ３８に機械的に嵌め込まれて電気的に接続される。盤演出外部コネクタ８０と枠演出外部コネクタ３６とが互いに機械的に嵌め込まれる場合、枠演出外部コネクタ３６が枠演出中継基板１５の板面と平行な矢印Ｘ１で示す横方向と矢印Ｙ１で示す縦方向とに移動し、盤演出外部コネクタ８０と枠演出外部コネクタ３６とが互いに電気的に接続される。盤主制御外部コネクタ８２と枠主制御外部コネクタ３８とが互いに機械的に嵌め込まれる場合、枠主制御外部コネクタ３８が枠主制御中継基板１６の板面と平行な矢印Ｘ１で示す横方向と矢印Ｙ１で示す縦方向とに移動し、盤主制御外部コネクタ８２と枠主制御外部コネクタ３８とが互いに電気的に接続される。
【００２９】
このように、盤演出外部コネクタ８０と枠演出外部コネクタ３６とが互いに電気的に接続され、盤主制御外部コネクタ８２と枠主制御外部コネクタ３８とが互いに電気的に接続されることによって、遊技盤７の下縁部が可動枠１０２の盤棚１１７と平行な状態となり、遊技盤７の枠側取付構造体１０８に取り込まれた左側部が可動枠１０２の盤収容室１０７に配置される。引き続き、遊技盤７の右側部が人によって前側から可動枠１０２の方向に押されると、枠側取付構造体１０８が可動枠１０２の方向に回転し、遊技機枠１のロック操作部１１６が遊技盤７の右側部に形成されたロック挿入孔１６０に後側から挿入されて前側に突出する。その状態において、人がロック操作部１１６を例えば左方向に９０度回転操作すると、ロック操作部１１６が遊技盤７におけるロック挿入孔１６０の周りの前面に係合し、遊技盤７が可動枠１０２の盤収容室１０７に取り付けられる。遊技盤７が取り付けられた後、前扉１０４が閉じられる。これによって、パチンコ遊技機が構成される。このパチンコ遊技機は、遊技盤７が遊技機枠１の内部に格納され、遊技盤７の前側が前扉１０４で覆われ、遊技盤７の遊技領域が遊技機枠１の前側から前扉１０４の窓１２３および前面パネル１２４を通して視認し得る形態である。
【００３０】
遊技盤７が遊技機枠１に取り付けられ、枠演出コネクタ３および盤演出コネクタ９が互いに嵌め合わされ、枠主制御コネクタ４および盤主制御コネクタ１０が互いに嵌め合わされることによって、枠電気部品２および盤電気部品８が枠演出コネクタ３と枠主制御コネクタ４と盤演出コネクタ９および盤主制御コネクタ１０を介して相互に電気的に動作可能に接続されるため、配線作業が簡単であるうえ、配線が簡素に整理され、どの枠電気部品２とどの盤電気部品８とがどの配線で接続されているかという、枠電気部品２や盤電気部品８からなる電気部品どうしの接続を容易に把握することができるという利点がある。１つの枠演出外部コネクタ３６および１つの枠主制御外部コネクタ３８が遊技機枠１に設けられ、１つの盤演出外部コネクタ８０および盤主制御外部コネクタ８２が遊技盤７に設けられ、枠演出外部コネクタ３６および枠主制御外部コネクタ３８と盤演出外部コネクタ８０および盤主制御外部コネクタ８２とが互いに機械的に嵌め込まれて電気的に接続されることによって、枠電気部品２や盤電気部品８からなる電気部品どうしが互いに接続されるので、接続構造が簡単であるという利点がある。
【産業上の利用可能性】
【００３１】
枠制御内部コネクタ３７、盤演出内部コネクタ７９、盤主制御内部コネクタ８１は、１個に限定されるものではないが、図２および図３に示すように１個使用すれば、電気接続装置の構造が一層簡単となる。枠演出外部コネクタ３６を枠演出中継基板１５に固定し、枠主制御外部コネクタ３８を枠主制御中継基板１６に固定し、盤演出外部コネクタ８０を盤演出中継基板６１の板面と平行な矢印Ｘ１で示す横方向と矢印Ｙ１で示す縦方向とに移動するように盤演出中継基板６１に取り付け、盤主制御外部コネクタ８２を盤主制御中継基板６２の板面と平行な矢印Ｘ１で示す横方向と矢印Ｙ１で示す縦方向とに移動するように盤主制御中継基板６２に取り付けてもよいが、最良の形態のように、枠演出外部コネクタ３６を枠演出中継基板１５の板面と平行な矢印Ｘ１で示す横方向と矢印Ｙ１で示す縦方向とに移動するように枠演出中継基板１５に取り付け、枠主制御外部コネクタ３８を枠主制御中継基板１６の板面と平行な矢印Ｘ１で示す横方向と矢印Ｙ１で示す縦方向とに移動するように枠主制御中継基板１６に取り付けた方が、経済的に有利である。その理由は、コネクタを中継基板に固定するよりも、コネクタを中継基板に中継基板の板面と平行な方向に移動可能に取り付ける方が高価となるが、パチンコ遊技機では、遊技盤７が古い種類から新しい種類に交換される場合、遊技機枠１を遊技店の遊技機設置構造体に取り付けたまま古い種類の遊技盤７と新しい種類の遊技盤７とにわたって共用する形態があり、コネクタを中継基板に中継基板の板面と平行な方向に移動可能に取り付ける構造が遊技盤７の側に設けられるよりも、複数の種類に共用する可能性のある遊技機枠１に設けた方が経済的に有利となるからである。
【００３２】
図９に示すように、枠演出内部コネクタ３４；３５および枠演出外部コネクタ３６の実装された枠演出中継基板１５と、枠主制御内部コネクタ３７および枠主制御外部コネクタ３８の実装された枠主制御中継基板１６とが、枠側取付構造体１０８から取り外されて遊技機枠１の盤収容室１０７の右側部に設けられ、盤演出内部コネクタ７９および盤演出外部コネクタ８０の実装された盤演出中継基板６１と、盤主制御内部コネクタ８１および盤主制御外部コネクタ８２の実装された盤主制御中継基板６２とが、盤側取付構造体１４５から取り外されて遊技盤７の右側部に設けられても同様に適用できる。矢印Ｘ２は、遊技機枠１に取り付けられた遊技盤７の裏面と平行な横方向である。
【図面の簡単な説明】
【００３３】
【図１】パチンコ遊技機の電気接続装置を示す模式図（最良の形態）。
【図２】枠電気部品と枠演出コネクタおよび枠主制御コネクタを示す模式図（最良の形態）。
【図３】盤電気部品と盤演出コネクタおよび盤主制御コネクタを示す模式図（最良の形態）。
【図４】遊技機枠および遊技盤の電気接続装置を示す分解斜視図（最良の形態）。
【図５】遊技機枠の裏側全体の電気接続装置を示す斜視図（最良の形態）。
【図６】可動枠の裏側下部の電気接続装置を示す斜視図（最良の形態）。
【図７】遊技盤の電気接続装置を示す分解斜視図（最良の形態）。
【図８】遊技盤の電気接続装置を示す斜視図（最良の形態）。
【図９】遊技機枠および遊技盤の電気接続装置を示す分解斜視図（他の形態）。
【符号の説明】
【００３４】
１    遊技機枠
２    枠電気部品
３    枠演出コネクタ
４    枠主制御コネクタ
５    配線
６    配線
７    遊技盤
８    盤電気部品
９    盤演出コネクタ
１０  盤主制御コネクタ
１１  配線
１２  配線
【図１】
2006346073.tif 000003
【図２】
2006346073.tif 000004
【図３】
2006346073.tif 000005
【図４】
2006346073.tif 000006
【図５】
2006346073.tif 000007
【図６】
2006346073.tif 000008
【図７】
2006346073.tif 000009
【図８】
2006346073.tif 000010
【図９】
2006346073.tif 000011